【手続補正書】
【提出日】平成20年3月14日(2008.3.14)
【手続補正１】
【補正対象書類名】明細書
【補正対象項目名】特許請求の範囲
【補正方法】変更
【補正の内容】
【特許請求の範囲】
【請求項１】  設定された読取解像度により画像読み取りを行う画像読取装置と、上記画像読取装置で読み取られた画像データを処理する画像処理装置とを備えた画像処理システムであって、
上記画像読取装置は、読み取った画像データに対して平均化処理を行う画像処理手段を備え、
上記画像処理装置は、指定解像度を基にして定められる読取解像度を上記画像読取装置に対して設定する設定手段と、上記画像読取装置から取得した上記読取解像度により読み取られた画像データに対して間引き方式の解像度変換処理を行う間引き方式の解像度変換処理手段と、上記間引き方式の解像度変換処理により間引かれずに残る画素のデータに対して上記間引き方式の解像度変換処理より前にフィルタ処理を行うフィルタ処理手段と、上記間引き方式の解像度変換処理後の解像度の画像データに対して上記指定解像度となるよう所定方式の解像度変換処理を行う解像度変換処理手段とを備えたことを特徴とする画像処理システム。
【請求項２】  上記画像処理手段は、主走査方向のすべての画素に対して複数の隣接画素データを用いて平均化処理を行う第１の平均化処理手段を含むことを特徴とする請求項１に記載の画像処理システム。
【請求項３】  上記第１の平均化処理手段は、主走査方向の複数の隣接画素データを用いて平均化処理を行うことを特徴とする請求項１に記載の画像処理システム。
【請求項４】  上記第１の平均化処理手段は、上記主走査方向の複数の隣接画素データに重み付けをして平均化処理を行うことを特徴とする請求項３に記載の画像処理システム。
【請求項５】  上記重み付けは、上記画像読取装置の画像読取手段の解像度と、上記読取解像度とに応じて決定することを特徴とする請求項４に記載の画像処理システム。
【請求項６】  上記画像処理手段は、主走査方向の複数画素、副走査方向の複数画素のデータを平均して１画素を作成する平均化処理を行う第２の平均化処理手段を含むことを特徴とする請求項１に記載の画像処理システム。
【請求項７】  上記主走査方向の複数画素、上記副走査方向の複数画素は、上記画像読取装置の画像読取手段の解像度と、上記読取解像度とに応じて決定することを特徴とする請求項６に記載の画像処理システム。
【請求項８】  上記画像処理手段は、主走査方向のすべての画素に対して複数の隣接画素データを用いて平均化処理を行う第１の平均化処理手段と、主走査方向の複数画素、副走査方向の複数画素のデータを平均して１画素を作成する平均化処理を行う第２の平均化処理手段とを有し、上記第１の平均化処理手段による平均化処理の後に上記第２の平均化処理手段による平均化処理を行って、上記読取解像度の画像データを上記画像処理装置に出力することを特徴とする請求項１に記載の画像処理システム。
【請求項９】  設定された読取解像度により画像読み取りを行う画像読取装置であって、
主走査方向のすべての画素に対して複数の隣接画素データを用いて平均化処理を行う第１の平均化処理手段と、
主走査方向の複数画素、副走査方向の複数画素のデータを平均して１画素を作成する平均化処理を行う第２の平均化処理手段とを有し、
上記第１の平均化処理手段による平均化処理の後に上記第２の平均化処理手段による平均化処理を行って、指定された読取解像度の画像データを出力することを特徴とする画像読取装置。
【請求項１０】  設定された読取解像度により画像読み取りを行う画像読取装置を用いた画像読取方法であって、
主走査方向のすべての画素に対して複数の隣接画素データを用いて行う第１の平均化処理と、
主走査方向の複数画素、副走査方向の複数画素のデータを平均して１画素を作成する第２の平均化処理とを有し、
上記第１の平均化処理の後に上記第２の平均化処理を行って、指定された読取解像度の画像データを出力することを特徴とする画像読取方法。
【請求項１１】  設定された読取解像度により画像読み取りを行う画像読取装置を制御するためのコンピュータプログラムであって、
主走査方向のすべての画素に対して複数の隣接画素データを用いて行う第１の平均化処理と、
主走査方向の複数画素、副走査方向の複数画素のデータを平均して１画素を作成する第２の平均化処理とを実行させて、
上記第１の平均化処理の後に上記第２の平均化処理を行って、指定された読取解像度の画像データを出力させることを特徴とするコンピュータプログラム。
【請求項１２】設定された読取解像度により画像読み取りを行う画像読取装置と、上記画像読取装置で読み取られた画像データを処理する画像処理装置とを備えた画像処理システムであって、
指定解像度が予め設定されている所定解像度と一定の関係がある場合に、上記指定解像度を基にして定められる読取解像度を上記画像読取装置に対して設定する設定手段と、
上記画像読取装置から取得した上記読取解像度の画像データに対して間引き方式の解像度変換処理を行う間引き方式の解像度変換処理手段と、
上記間引き方式の解像度変換処理により間引かれずに残る画素のデータに対して上記間引き方式の解像度変換処理より前にフィルタ処理を行うフィルタ処理手段と、
上記間引き方式の解像度変換処理後の解像度の画像データに対して上記指定解像度となるよう所定方式の解像度変換処理を行う解像度変換処理手段とを備えたことを特徴とする画像処理システム。
【請求項１３】  上記一定の関係とは、上記指定解像度が上記所定解像度の２倍の値以下である関係をいうことを特徴とする請求項１２に記載の画像処理システム。
【請求項１４】  上記設定手段は、上記読取解像度を上記指定解像度の２倍以上となるように定めることを特徴とする請求項１３に記載の画像処理システム。
【請求項１５】  上記所定解像度を基に基本フィルタを選択するフィルタ選択手段と、上記読取解像度と上記間引き方式の解像度変換処理後の解像度との倍率の関係から上記基本フィルタを用いて上記フィルタ処理に用いるフィルタを作成するフィルタ作成手段とを備えたことを特徴とする請求項１２に記載の画像処理システム。
【請求項１６】  上記基本フィルタは、上記間引き方式の解像度変換処理後の全画素に対して主副に隣接する画素データが含まれるフィルタサイズであることを特徴とする請求項１５に記載の画像処理システム。
【請求項１７】  上記フィルタ作成手段は、上記読取解像度と上記間引き方式の解像度変換処理後の解像度との倍率の関係から、上記基本フィルタに対して重み付けを行って上記フィルタ処理に用いるフィルタを作成することを特徴とする請求項１６に記載の画像処理システム。
【請求項１８】  画像読取装置で読み取られた画像データを処理する画像処理装置であって、
指定解像度が予め設定されている所定解像度と一定の関係がある場合に、上記指定解像度を基にして定められる読取解像度を上記画像読取装置に対して設定する設定手段と、
上記画像読取装置から取得した上記読取解像度の画像データに対して間引き方式の解像度変換処理を行う間引き方式の解像度変換処理手段と、
上記間引き方式の解像度変換処理により間引かれずに残る画素のデータに対して上記間引き方式の解像度変換処理より前にフィルタ処理を行うフィルタ処理手段と、
上記間引き方式の解像度変換処理後の解像度の画像データに対して上記指定解像度となるよう所定方式の解像度変換処理を行うとを備えたことを特徴とする画像処理装置。
【請求項１９】  画像読取装置で読み取られた画像データを処理する画像処理方法であって、
指定解像度が予め設定されている所定解像度と一定の関係がある場合に、上記指定解像度を基にして定められる読取解像度を上記画像読取装置に対して設定する設定処理と、
上記画像読取装置から取得した上記読取解像度の画像データに対して間引き方式の解像度変換処理を行う間引き方式の解像度変換処理と、
上記間引き方式の解像度変換処理により間引かれずに残る画素のデータに対して上記間引き方式の間引き方式の解像度変換処理より前に行うフィルタ処理と、
上記間引き方式の解像度変換処理後の解像度の画像データに対して上記指定解像度となるよう行う所定方式の解像度変換処理とを有することを特徴とする画像処理方法。
【請求項２０】  画像読取装置で読み取られた画像データを処理するためのコンピュータプログラムであって、
指定解像度が予め設定されている所定解像度と一定の関係がある場合に、上記指定解像度を基にして定められる読取解像度を上記画像読取装置に対して設定する設定処理と、
上記画像読取装置から取得した上記読取解像度の画像データに対して間引き方式の解像度変換処理を行う間引き方式の解像度変換処理と、
上記間引き方式の解像度変換処理により間引かれずに残る画素のデータに対して上記間引き方式の解像度変換処理より前に行うフィルタ処理と、
上記間引き方式の解像度変換処理後の解像度の画像データに対して上記指定解像度となるよう行う所定方式の解像度変換処理とをコンピュータに実行させることを特徴とするコンピュータプログラム。
【請求項２１】  設定された読取解像度により画像読み取りを行う画像読取装置と、上記画像読取装置で読み取られた画像データを処理する画像処理装置とを備えた画像処理システムであって、
指定解像度が予め設定されている所定解像度と一定の関係がある場合に、上記所定解像度を基にして定められる読取解像度を上記画像読取装置に対して設定する設定手段と、
上記画像読取装置から取得した上記読取解像度の画像データの全画素に対して所定方式のフィルタ処理を行うフィルタ処理手段と、
上記フィルタ処理後の画像データに対して上記指定解像度となるよう所定方式の解像度変換処理を行う解像度変換処理手段とを備えたことを特徴とする画像処理システム。
【請求項２２】  上記一定の関係とは、上記指定解像度が上記所定解像度の２倍の値を超える関係をいうことを特徴とする請求項２１に記載の画像処理システム。
【請求項２３】  上記設定手段は、上記読取解像度を上記所定解像度の４倍以上となるように定めることを特徴とする請求項２２に記載の画像処理システム。
【請求項２４】  上記フィルタ処理に用いられるフィルタは、上記読取解像度の画像データの全画素に対して主副に隣接する画素データが含まれるフィルタサイズであることを特徴とする請求項１５に記載の画像処理システム。
【請求項２５】  画像読取装置で読み取られた画像データを処理する画像処理装置であって、
指定解像度が予め設定されている所定解像度と一定の関係がある場合に、上記所定解像度を基にして定められる読取解像度を上記画像読取装置に対して設定する設定手段と、
上記画像読取装置から取得した上記読取解像度の画像データの全画素に対して所定方式のフィルタ処理を行うフィルタ処理手段と、
上記フィルタ処理後の画像データに対して上記指定解像度となるよう所定方式の解像度変換処理を行う解像度変換処理手段とを備えたことを特徴とする画像処理装置。
【請求項２６】  画像読取装置で読み取られた画像データを処理する画像処理方法であって、
指定解像度が予め設定されている所定解像度と一定の関係がある場合に、上記所定解像度を基にして定められる読取解像度を上記画像読取装置に対して設定する設定処理と、
上記画像読取装置から取得した上記読取解像度の画像データの全画素に対して行う所定方式のフィルタ処理と、
上記フィルタ処理後の画像データに対して上記指定解像度となるよう行う所定方式の解像度変換処理とを有することを特徴とする画像処理方法。
【請求項２７】  画像読取装置で読み取られた画像データを処理するためのコンピュータプログラムであって、
指定解像度が予め設定されている所定解像度と一定の関係がある場合に、上記所定解像度を基にして定められる読取解像度を上記画像読取装置に対して設定する設定処理と、
上記画像読取装置から取得した上記読取解像度の画像データの全画素に対して行う所定方式のフィルタ処理と、
上記フィルタ処理後の画像データに対して上記指定解像度となるよう行う所定方式の解像度変換処理とをコンピュータに実行させることを特徴とするコンピュータプログラム。
【請求項２８】  請求項１１、２０、２７のいずれか１項に記載のコンピュータプログラムを格納したことを特徴とするコンピュータ読み取り可能な記憶媒体。
【手続補正２】
【補正対象書類名】明細書
【補正対象項目名】０００７
【補正方法】変更
【補正の内容】
【０００７】
【課題を解決するための手段】
本発明は上記の課題を解決するためになされたものであり、画像処理システムについて言及すれば、本発明の画像処理システムは、設定された読取解像度により画像読み取りを行う画像読取装置と、上記画像読取装置で読み取られた画像データを処理する画像処理装置とを備えた画像処理システムであって、上記画像読取装置は、読み取った画像データに対して平均化処理を行う画像処理手段を備え、上記画像処理装置は、指定解像度を基にして定められる読取解像度を上記画像読取装置に対して設定する設定手段と、上記画像読取装置から取得した上記読取解像度により読み取られた画像データに対して間引き方式の解像度変換処理を行う間引き方式の解像度変換処理手段と、上記間引き方式の解像度変換処理により間引かれずに残る画素のデータに対して上記間引き方式の解像度変換処理より前にフィルタ処理を行うフィルタ処理手段と、上記間引き方式の解像度変換処理後の解像度の画像データに対して上記指定解像度となるよう所定方式の解像度変換処理を行う解像度変換処理手段とを備えた点に特徴を有する。
【手続補正３】
【補正対象書類名】明細書
【補正対象項目名】０００８
【補正方法】変更
【補正の内容】
【０００８】
また、本発明の他の画像処理システムは、設定された読取解像度により画像読み取りを行う画像読取装置と、上記画像読取装置で読み取られた画像データを処理する画像処理装置とを備えた画像処理システムであって、指定解像度が予め設定されている所定解像度と一定の関係がある場合に、上記指定解像度を基にして定められる読取解像度を上記画像読取装置に対して設定する設定手段と、上記画像読取装置から取得した上記読取解像度の画像データに対して間引き方式の解像度変換処理を行う間引き方式の解像度変換処理手段と、上記間引き方式の解像度変換処理により間引かれずに残る画素のデータに対して上記間引き方式の解像度変換処理より前にフィルタ処理を行うフィルタ処理手段と、上記間引き方式の解像度変換処理後の解像度の画像データに対して上記指定解像度となるよう所定方式の解像度変換処理を行う解像度変換処理手段とを備えた点に特徴を有する。
【手続補正４】
【補正対象書類名】明細書
【補正対象項目名】０００９
【補正方法】変更
【補正の内容】
【０００９】
また、本発明の他の画像処理システムは、設定された読取解像度により画像読み取りを行う画像読取装置と、上記画像読取装置で読み取られた画像データを処理する画像処理装置とを備えた画像処理システムであって、指定解像度が予め設定されている所定解像度と一定の関係がある場合に、上記所定解像度を基にして定められる読取解像度を上記画像読取装置に対して設定する設定手段と、上記画像読取装置から取得した上記読取解像度の画像データの全画素に対して所定方式のフィルタ処理を行うフィルタ処理手段と、上記フィルタ処理後の画像データに対して上記指定解像度となるよう所定方式の解像度変換処理を行う解像度変換処理手段とを備えた点に特徴を有する。